(57)【要約】【課題】  トナーの層厚に応じた定着温度の制御精度を向上することができる画像形成装置を提供する。【解決手段】  画像データを取得するスキャナ部１１等と、スキャナ部１１等により取得された画像データに基づきドットを配置することにより各色毎のトナ―像を形成する画像形成部２３と、各色毎のトナー像を記録紙上に重ね合わせて転写する転写部２４と、転写部２４により記録紙上に転写されたトナー像を加熱溶融して定着させることによりカラー画像を形成する定着部２５とを備えた。また、画像データを各色毎のドットを配置して表した場合に、複数の色のドットが重なる箇所の数を重複ドット数として計数する重複ドット計数部４１１と、重複ドット計数部４１１により計数された重複ドット数の増減に応じて熱ローラ２０９の温度を増減させる温度制御部４１２とを備えた。【選択図】      図３
2006154413.tif 000002
【特許請求の範囲】
【請求項１】
画像データを取得する画像取得部と、
前記画像取得部により取得された画像データに基づきドットを配置することにより各色毎のトナ―像を形成する画像形成部と、
前記画像形成部により形成された各色毎のトナー像を記録紙上に重ね合わせて転写する転写部と、
前記転写部により記録紙上に転写されたトナー像を加熱溶融して定着させることによりカラー画像を形成する定着部と、
前記画像取得部により取得された画像データを各色毎のドットを配置して表した場合に、複数の色のドットが重なる箇所の数を重複ドット数として計数する重複ドット計数部と、
前記重複ドット計数部により計数された重複ドット数の増減に応じて前記定着部の温度を増減させる温度制御部と、
を備えることを特徴とする画像形成装置。
【請求項２】
前記重複ドット計数部は、前記ドットが重なる色数毎に前記重複ドット数を計数し、
前記温度制御部は、前記重複ドット計数部により計数された重複ドット数に基づいて前記定着部の温度を変化させることを特徴とする請求項１記載の画像形成装置。
【請求項３】
前記重複ドット計数部は、前記画像取得部により取得された画像データを複数の領域に分割すると共に当該複数の領域毎に前記重複ドット数を計数し、
前記温度制御部は、前記各領域に対応するトナー像を前記定着部により定着させる際に、前記重複ドット計数部により計数された当該領域毎の前記重複ドット数に基づいて前記定着部の温度を変化させることを特徴とする請求項１又は２記載の画像形成装置。
【発明の詳細な説明】
【技術分野】
【０００１】
本発明は、トナー像を定着してカラー画像を形成する画像形成装置に関する。
【背景技術】
【０００２】
トナー像を加熱溶融して定着させることにより画像を形成する、いわゆる電子写真のプロセスには、帯電、露光、現像、転写、及び定着がある。そして、カラー画像を形成する場合には、基本色、例えば黒、マゼンダ、イエロー、シアンの四色のトナー像を記録紙に重ね合わせて転写した後、このトナー像を加熱溶融して定着することによりカラー画像を形成するようになっている。この場合、カラー画像における基本色、例えばマゼンダやイエローのドットは、その色のトナーのみで構成されている。一方、基本色以外の色のドットは、基本色のトナーが複数色重ね合わせられて構成されている。そのため、基本色のドットはドットを構成するトナーの層厚が薄く、基本色とは異なる色のドットは複数の基本色のドットが重ね合わせられるためトナーの層厚が増すこととなり、ドットの色により、ドットを構成するトナーの層厚が異なる。そのため、トナー像を定着する際にトナーの層厚を考慮しなければ、加熱が不十分となってトナー像を十分に溶融することができず、定着不良を生じてトナーが剥離したり、加熱が過剰となって電力を浪費したり用紙じわを生じる場合がある。
【０００３】
そこで、画像の一ライン毎に基本色のドットを記録紙に転写した個数を計数し、その個数が多ければドットが重なる確率が高いためトナーの層厚が大きく、個数が少なければドットが重なる確率が低いためトナーの層厚が小さいと推定することにより、基本色のドットを転写した個数に基づいて定着温度を制御するようにした画像形成装置が知られている（例えば、特許文献１参照。）。
【特許文献１】特開平１−２３９５７８号公報
【発明の開示】
【発明が解決しようとする課題】
【０００４】
ところで、基本色のドットを転写した個数に基づいて定着温度を制御する場合には、必ずしも基本色のドットを転写した個数の増減がドットの重なる数と一致しないため、トナーの層厚の増減と一致せず、トナーの層厚に適した定着温度に制御することができない場合があるという不都合があった。
【０００５】
本発明は、このような問題に鑑みて為された発明であり、トナーの層厚に応じた定着温度の制御精度を向上することができる画像形成装置を提供することを目的とする。
【課題を解決するための手段】
【０００６】
上述の目的を達成するために、請求項１に記載の発明は、画像形成装置であって、画像データを取得する画像取得部と、前記画像取得部により取得された画像データに基づきドットを配置することにより各色毎のトナ―像を形成する画像形成部と、前記画像形成部により形成された各色毎のトナー像を記録紙上に重ね合わせて転写する転写部と、前記転写部により記録紙上に転写されたトナー像を加熱溶融して定着させることによりカラー画像を形成する定着部と、前記画像取得部により取得された画像データを各色毎のドットを配置して表した場合に、複数の色のドットが重なる箇所の数を重複ドット数として計数する重複ドット計数部と、前記重複ドット計数部により計数された重複ドット数の増減に応じて前記定着部の温度を増減させる温度制御部と、を備えることを特徴としている。
【０００７】
上記構成によれば、画像取得部により取得された画像データに基づきドットを配置することにより形成された各色毎のトナー像が記録紙上に重ね合わせて転写され、記録紙上に転写されたトナー像が定着部により加熱溶融され、定着されることによりカラー画像が形成される。また、画像取得部により取得された画像データを各色毎のドットを配置して表した場合に、複数の色のドットが重なる箇所の数が重複ドット数として計数され、その重複ドット数の増減に応じて定着部の温度が増減される。これにより、複数の色のドットが重なる箇所、すなわちトナーの層厚が増大する箇所の数に応じて定着部の温度が増減されるので、トナーの層厚に応じた定着温度の制御精度を向上することができる。
【０００８】
請求項２に記載の発明は、請求項１記載の画像形成装置であって、前記重複ドット計数部は、前記ドットが重なる色数毎に前記重複ドット数を計数し、前記温度制御部は、前記重複ドット計数部により計数された重複ドット数に基づいて前記定着部の温度を変化させることを特徴としている。
【０００９】
上記構成によれば、ドットが重なる色数毎に重複ドット数が計数され、ドットが重なる色数毎の重複ドット数に基づいて定着部の温度が変化される。この場合、ドットが重なる色数の増減、すなわちドットの層厚の増減が定着部の温度に反映されるので、トナーの層厚に応じた定着温度の制御精度をさらに向上することができる。
【００１０】
請求項２に記載の発明は、請求項１又は２記載の画像形成装置であって、前記重複ドット計数部は、前記画像取得部により取得された画像データを複数の領域に分割すると共に当該複数の領域毎に前記重複ドット数を計数し、前記温度制御部は、前記各領域に対応するトナー像を前記定着部により定着させる際に、前記重複ドット計数部により計数された当該領域毎の前記重複ドット数に基づいて前記定着部の温度を変化させることを特徴としている。
【００１１】
上記構成によれば、画像取得部により取得された画像データは複数の領域に分割されると共に当該複数の領域毎に重複ドット数が計数され、各領域に対応するトナー像が定着部により定着される際に、当該領域毎の重複ドット数に基づいて定着部の温度が変化される。これにより、画像データの領域によってドットの重なり方、すなわちトナーの層厚が異なる場合であっても各領域におけるトナーの層厚に応じて定着温度が変化され、トナーの層厚に応じた定着温度の制御精度を向上することができる。
【発明の効果】
【００１２】
以上に述べたように、本発明によれば、トナーの層厚に応じた定着温度の制御精度を向上することができる。
【発明を実施するための最良の形態】
【００１３】
以下、本発明に係る実施形態を図面に基づいて説明する。なお、各図において同一の符号を付した構成は、同一の構成であることを示し、その説明を省略する。図１は、本発明による画像形成装置の一実施形態としてのディジタル複写機の機械的構成を主に示す側断面概略図の一例である。ディジタル複写機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１４】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００１５】
原稿給送部６００は、原稿載置部６０１、原稿排出部６０２、給紙ローラ６０３及び原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００１６】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着部２５、排出口２１０、及び排出トレイ２１１を備える。
【００１７】
感光体ドラム２０５は、矢印方向に回転しながら帯電装置（図示省略）によって一様に帯電される。露光装置２０６は、原稿読み取り部５００において読み取られた原稿等の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を重ね合わせて転写され、中間転写体ローラ２０４上にカラーのトナー像が形成される。
【００１８】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させる。そして、定着部２５は、圧ローラ２０８と熱ローラ２０９とを備え、トナー像が転写された記録紙を圧ローラ２０８と熱ローラ２０９とによって加圧及び加熱することによって、トナー像を記録紙に定着させる。その後、記録紙は、本体部２００の排出口２１０から用紙後処理部３００に搬入される。また、記録紙は、必要に応じて排出トレイ２１１へも排出される。
【００１９】
図２は、定着部２５の詳細な構成を示す斜視図である。図２に示す定着部２５は、例えばシリコンゴム等からなる弾性体を表面に有する圧ローラ２０８と、例えば内部に誘導コイル部２２０を備えた熱ローラ２０９とが対向配置されて構成されている。図２においては、熱ローラ２０９を透視した状態で図示している。熱ローラ２０９は、円筒状の金属導電体により構成されている。誘導コイル部２２０は、例えば複数の誘導コイル２２１，２２２，２２３，２２４，２２５から構成されている。誘導コイル２２１，２２２，２２３，２２４，２２５は、圧ローラ２０８と対向する熱ローラ２０９の内面に近接する位置に熱ローラ２０９の長手方向（主走査方向）に一列に並べて配設されており、熱ローラ２０９に誘導渦電流を発生させることにより熱ローラ２０９を誘導加熱するいわゆるＩＨ（Induction Heating）方式の加熱装置を構成している。
【００２０】
また、誘導コイル２２１，２２２，２２３，２２４，２２５の近傍には、誘導コイル２２１，２２２，２２３，２２４，２２５と対向する位置の熱ローラ２０９の温度を検出する例えばサーミスタからなる温度センサ２３１，２３２，２３３，２３４，２３５が、熱ローラ２０９の内面に近接して配設されている。
【００２１】
図１に戻って用紙後処理部３００は、搬入口３０１、記録紙搬送部３０２、搬出口３０３及びスタックトレイ３０４等を備える。記録紙搬送部３０２は、排出口２１０から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２２】
図３は、図１に示すディジタル複写機１の電気的構成を主に示すブロック図の一例である。ディジタル複写機１は、スキャナ部１１、プリンタ部２１、操作パネル部３１、制御部４１、パラレルＩ／Ｆ部５２、シリアルＩ／Ｆ部５１及びＨＤＤ（ハードディスクドライブ）５３を備えている。
【００２３】
スキャナ部１１は、図１に示すスキャナ５０１を構成する照明用光源１２及びイメージセンサ１３を含む。イメージセンサ１３は、例えばＣＣＤ（電荷結合素子）を備える。スキャナ部１１は、照明用光源１２により原稿を照射し、その反射光をイメージセンサ１３で各色毎に受光することにより、原稿から画像を読み取り、読み取った画像に対応する各色の画像データを制御部４１へ出力する。
【００２４】
プリンタ部２１は、図１に示す給紙カセット２０１及び給紙ローラ２０２等から構成される用紙搬送部２２、図１に示す中間転写体ローラ２０４、感光体ドラム２０５、露光装置２０６及び現像装置２０７Ｙ，２０７Ｍ，２０７Ｃ，２０７Ｋ等から構成される画像形成部２３、図１に示す転写ローラ２０３等から構成される転写部２４、及び図１に示す定着部２５を含む。具体的には、用紙搬送部２２は記録紙を画像形成部２３へ搬送し、画像形成部２３は上記の画像データに対応するトナー像を形成し、転写部２４はトナー像を記録紙に転写し、定着部２５はトナー像を記録紙に定着させて画像を形成する。
【００２５】
定着部２５は、圧ローラ２０８、熱ローラ２０９、誘導コイル部２２０、温度センサ２３１，２３２，２３３，２３４，２３５、及び高周波電流を誘導コイル部２２０へ供給して熱ローラ２０９を誘導加熱させるＩＨ制御部２４０を備えている。ＩＨ制御部２４０は、例えばインバータ回路を用いて構成されており、制御部４１からの制御信号に応じて誘導コイル２２１，２２２，２２３，２２４，２２５へ高周波電流を出力し、熱ローラ２０９における各誘導コイル２２１，２２２，２２３，２２４，２２５と対向する位置に誘導渦電流を生じさせることにより、熱ローラ２０９における所定の位置を加熱させる。
【００２６】
操作パネル部３１は、図１に示すタッチパネル４０１等から構成されるタッチパネル部３２、及び図１に示すスタートキー４０２及びテンキー４０３等から構成される操作キー部３３を含む。操作パネル部３１は、ユーザがコピー機能に関する操作を行なうために使用され、ユーザによる操作指令等を制御部４１に与える。タッチパネル部３２は、タッチパネルとＬＣＤ（Liquid Crystal Display）とを組み合わせたタッチパネルユニット等から構成され、種々の操作画面、例えば、拡縮率設定等に関する情報を表示するとともに、ユーザが当該部分をタッチすることにより種々の操作指令を制御部４１へ入力するための操作ボタン等を表示する。操作キー部３３は、ユーザが印刷実行指令等を入力するために用いられる。
【００２７】
制御部４１は、装置全体の動作を制御するもので、例えばディジタル複写機１の複写動作を制御するためのプログラム、原稿読み取り部５００により取得された画像データを各色毎のドットを配置して表した場合に複数の色のドットが重なる箇所の数を重複ドット数として計数するための計数プログラム、及び重複ドット数の増減に応じて定着部２５の温度を増減させるための温度制御プログラム等を記憶するＲＯＭ（Read Only Memory）、一時的にデータを保管するＲＡＭ（Random Access Memory）、制御プログラム等をＲＯＭから読み出して実行するＣＰＵ（Central Processing Unit）及び専用のハードウェア回路等を備えて構成されている。
【００２８】
そして、制御部４１は、計数プログラムをＲＯＭから読み出して実行することにより重複ドット計数部４１１として機能し、温度制御プログラムをＲＯＭから読み出して実行することにより温度制御部４１２として機能する。
【００２９】
ＨＤＤ５３は、スキャナ部１１によって読み取られた画像データを記憶するものである。なお、画像データのＨＤＤ５３への書き込み及びＨＤＤ５３からの画像データの読出しは、制御部４１からの指令に従って実行される。パラレルＩ／Ｆ部５２およびシリアルＩ／Ｆ部５１、さらに無線ＬＡＮ等の図示しないネットワークインタフェース部は、例えば外部に接続されたパーソナルコンピュータ等の情報処理装置との間でデータの入出力を行うためのインタフェースである。
【００３０】
図１および図３に示した画像形成装置は、上記の通りディジタルカラー複写機として構成されている。一般に画像形成装置は、複写機のみならず、プリンタ機、ファクシミリ装置、或いはそれらを兼ね備えた複合機等、画像または画像データの入力および出力を行う装置を広く包含するものである。したがって、一般に画像形成装置には、画像データを取り込む画像取得部、画像または画像データを出力する画像出力部、およびそれらを制御する制御部が設けられている。画像取得部は、画像が記録された記録紙から画像を読み取るスキャナ部（例えばスキャナ部１１）および画像データを受信する画像データ受信部（例えばパラレルＩ／Ｆ部５２、シリアルＩ／Ｆ部５１、及び図略のネットワークインタフェース部）のうちの少なくとも１を有しており、画像出力部は、画像を記録紙に記録する印画部（例えばプリンタ部２１）および画像データを送信する画像データ送信部（例えばパラレルＩ／Ｆ部５２、シリアルＩ／Ｆ部５１、及び図略のネットワークインタフェース部）のうち少なくとも１を有している。例えば、プリンタ機であれば画像データ受信部と印画部とが設けられており、ファクシミリ装置であれば、スキャナ部と画像データ送信部とが設けられている。
【００３１】
次に、上述のように構成されたディジタル複写機１の動作を説明する。図４は、ディジタル複写機１の動作の一例を示すフローチャートである。まず、例えばシリアルＩ／Ｆ部５１の外部に接続された図略のパーソナルコンピュータから、カラー画像を表す画像データがシリアルＩ／Ｆ部５１へ送信される。そして、シリアルＩ／Ｆ部５１により受信された画像データが、シリアルＩ／Ｆ部５１から制御部４１へ送信され、制御部４１によってＨＤＤ５３に記憶される（ステップＳ１）。
【００３２】
次に、重複ドット計数部４１１によって、ＨＤＤ５３に記憶されている画像データが複数の領域に分割される（ステップＳ２）。図５は、ＨＤＤ５３に記憶されている画像データ５３１が、複数の領域に分割された状態の一例を示す説明図である。図５に示す画像データ５３１は、例えば主走査方向に誘導コイル部２２０における誘導コイルの数と同じ５つの領域に分割され、副走査方向には、例えば一辺が主走査方向における一領域のドット数と同じ数のドットに対応するように分割される。そして、各領域に対して、例えば主走査方向にｍ＝１〜５の番号を付与し、副走査方向に例えばｎ＝１〜５の番号を付与することにより、各領域は主走査方向と副走査方向との直交座標で表される。以下、主走査方向の番号がｍ、副走査方向の番号がｎの領域を、Ｄmnと記載する。
【００３３】
次に、重複ドット計数部４１１によって、画像データ５３１から、各領域Ｄ11〜Ｄ55について、基本色、例えば黒、マゼンダ、イエロー、シアンの四色それぞれのドット配置を示すドット配置データが生成される（ステップＳ３）。図６（ａ），（ｂ），（ｃ），（ｄ）は、例えば領域Ｄ23における黒、マゼンダ、イエロー、シアンについて、それぞれ生成されたドット配置データを説明するための説明図である。図６において、領域Ｄ23は、説明の簡単のため主走査方向に８ドット、副走査方向に８ドットの画像データを例示しており、各図の１升が１ドットに対応している。また、図６において、各色のドットが配置されている位置が斜線で示されている。さらに、重複ドット計数部４１１によって、領域Ｄ23以外の他の領域についても同様のドット配置データが生成される。
【００３４】
次に、重複ドット計数部４１１によって、各領域について生成されたドット配置データに基づいて、領域毎に１色のみのドットの数である重複ドット数Ｎ1、２色重なっているドットの数である重複ドット数Ｎ2、３色重なっているドットの数である重複ドット数Ｎ3、及び４色重なっているドットの数である重複ドット数Ｎ4が計数される（ステップＳ４）。図６（ｅ）は、図６（ａ），（ｂ），（ｃ），（ｄ）に示すドット配置データに基づいて、領域Ｄ23におけるドットが重なる色数を示した説明図である。図６（ｅ）において、重複ドット計数部４１１によって、重なる色数が「１」のドットの数が領域Ｄ23における重複ドット数Ｎ1、重なる色数が「２」のドットの数が領域Ｄ23における重複ドット数Ｎ2、重なる色数が「３」のドットの数が領域Ｄ23における重複ドット数Ｎ3、重なる色数が「４」のドットの数が領域Ｄ23における重複ドット数Ｎ4として計数される。さらに、重複ドット計数部４１１によって、領域Ｄ23以外の他の領域についても同様にして重複ドット数Ｎ1、Ｎ2、Ｎ3、及びＮ4が計数される。
【００３５】
次に、重複ドット計数部４１１により各領域について計数された重複ドット数Ｎ1、Ｎ2、Ｎ3、及びＮ4に基づいて、温度制御部４１２によって、各領域の目標定着温度Ｔが算出される（ステップＳ５）。具体的には、目標定着温度Ｔは、例えば下記の式（１）に基づき算出される。
【００３６】
Ｔ＝Ｔ0＋Ｋ1×Ｎ1＋Ｋ2×Ｎ2＋Ｋ3×Ｎ3＋Ｋ4×Ｎ4  ・・・（１）
但し、Ｔ0は、例えばトナーの厚みを考慮しない場合における基本となる定着温度である。また、係数Ｋ1、Ｋ2、Ｋ3、及びＫ4は、予めＨＤＤ５３等の記憶部に記憶されている定数で、例えば実験的に求められた数値が係数Ｋ1、Ｋ2、Ｋ3、及びＫ4としてＨＤＤ５３に記憶されている。なお、係数Ｋ1、Ｋ2、Ｋ3、及びＫ4は、例えば、下記式（２）で示す関係を有して設定されている。
【００３７】
０＜Ｋ1＜Ｋ2＜Ｋ3＜Ｋ4  ・・・（２）
また、係数Ｋ1、Ｋ2、Ｋ3、及びＫ4は、例えば図７に示すように指数関数的に増加するように設定されていてもよい。あるいは、目標定着温度Ｔと重複ドット数Ｎ1、Ｎ2、Ｎ3、及びＮ4との関係を予め実験的に求めることにより得られたデータテーブルを例えばＨＤＤ５３に予め記憶しておき、温度制御部４１２は、このデータテーブルを参照することにより重複ドット数Ｎ1、Ｎ2、Ｎ3、及びＮ4から目標定着温度Ｔを求める構成としてもよい。
【００３８】
次に、画像データ５３１に基づき記録紙上にトナー像が形成される（ステップＳ６）。具体的には、制御部４１からの制御信号に応じて、感光体ドラム２０５が矢印方向に回転しながら帯電装置（図示省略）によって一様に帯電され、露光装置２０６によってＨＤＤ５３に記憶されている画像データ５３１に基づいて生成された変調信号がレーザ光に変換されて出力され、感光体ドラム２０５に各色別の静電潜像が形成される。次に、制御部４１からの制御信号に応じて、現像装置２０７Ｙ，２０７Ｍ，２０７Ｃ，２０７Ｋによって各色の現像剤が感光体ドラム２０５に供給されて各色別のトナー画像が形成され、その各色別のトナー画像が、感光体ドラム２０５から中間転写体ローラ２０４に重ね合わせて転写され、中間転写体ローラ２０４上にカラーのトナー像が形成される。
【００３９】
一方、制御部４１からの制御信号に応じて、給紙ローラ２０２により給紙カセット２０１から記録紙が引き出され、転写ローラ２０３まで給送され、搬送された記録紙に中間転写体ローラ２０４上のカラーのトナー像が転写され、定着部２５へ搬送される。
【００４０】
次に、温度制御部４１２からの制御信号に応じて、ＩＨ制御部２４０によって、定着部２５において圧ローラ２０８と熱ローラ２０９とによってニップされた記録紙が搬送されつつ加圧及び加熱されるタイミングと同期して、定着温度を画像データ５３１における各領域の目標定着温度Ｔにさせるべく各領域に対応する位置の誘導コイル２２１，２２２，２２３，２２４，２２５へ高周波電流が出力され、温度センサ２３１，２３２，２３３，２３４，２３５によって検出された各領域に対応する位置の熱ローラ２０９の温度を当該位置の目標定着温度Ｔと一致させるべく誘導コイル２２１，２２２，２２３，２２４，２２５へ出力される高周波電流が制御される（ステップＳ７）。
【００４１】
具体的には、例えば、画像データ５３１における副走査方向の番号ｎが「１」であるトナー像の形成されている記録紙の位置が、圧ローラ２０８と熱ローラ２０９とによってニップされている状態において、温度制御部４１２からの制御信号に応じて、ＩＨ制御部２４０によって、熱ローラ２０９の各領域に対応する位置における温度を領域Ｄ11，Ｄ12，Ｄ13，Ｄ14，Ｄ15の目標定着温度Ｔにするための高周波電流がそれぞれ誘導コイル２２１，２２２，２２３，２２４，２２５へ出力されて、各領域のトナー像が当該領域の目標定着温度Ｔで加熱溶融され、定着される。以降、記録紙が圧ローラ２０８と熱ローラ２０９とによって搬送されるに従って、熱ローラ２０９に接している各領域のトナー像が、当該領域の目標定着温度Ｔで加熱溶融され、定着される。
【００４２】
以上、ステップＳ１〜Ｓ７の動作により、重複ドット計数部４１１によって、ドットが重なる色数毎に重複ドット数Ｎ1、Ｎ2、Ｎ3及びＮ4が計数され、温度制御部４１２によって、ドットが重なる色数毎に計数された重複ドット数に基づいて定着温度が変化されるので、複数色のトナーが重なることによってトナーの層厚が異なる場合においても、トナーの層厚に応じた定着温度の制御精度を向上することができる。
【００４３】
また、重複ドット計数部４１１によって、画像データを複数に分割した各領域において、ドットが重なる色数毎に計数された重複ドット数に基づいて、温度制御部４１２によって定着温度が変化されるので、画像の領域によってドットの重なり方、すなわちトナーの層厚が異なる場合であっても各領域におけるトナーの層厚に応じて定着温度が変化され、トナーの層厚に応じた定着温度の制御精度を向上することができる。
【００４４】
なお、画像データを複数の領域に分割し、各領域毎に目標定着温度Ｔを算出する例を示したが、画像データを複数の領域に分割することなく画像データ全体を一の領域としてステップＳ３〜Ｓ７の処理を行うようにしてもよい。この場合、誘導コイル部２２０は、単一の誘導コイルで構成してもよい。
【００４５】
また、ドットが重なる色数毎に重複ドット数Ｎ1、Ｎ2、Ｎ3及びＮ4を計数する例を示したが、例えば、重複ドット計数部４１１は、重なる色数に関わらず複数色のドットが重なる箇所の数を重複ドット数Ｎxとして計数し、温度制御部４１２は、重複ドット数Ｎxの増減に応じて目標定着温度Ｔを増減させるようにしてもよい。
【００４６】
また、定着部２５は、誘導コイル部２２０による誘導加熱によって熱ローラ２０９を加熱する例を示したが、例えば電熱線やセラミックヒータ等、他の加熱手段を用いて熱ローラ２０９を加熱するようにしてもよい。
【図面の簡単な説明】
【００４７】
【図１】本発明による画像形成装置の一実施形態としてのディジタル複写機の機械的構成を主に示す側断面概略図の一例である。
【図２】図１に示す定着部の詳細な構成を示す斜視図である。
【図３】図１に示すディジタル複写機の電気的構成を主に示すブロック図の一例である。
【図４】図１に示すディジタル複写機の動作の一例を示すフローチャートである。
【図５】画像データが複数の領域に分割された状態の一例を示す説明図である。
【図６】（ａ）は黒について、（ｂ）はマゼンダについて、（ｃ）はイエローについて、（ｄ）はシアンについて、それぞれ生成されたドット配置データを説明するための説明図である。（ｅ）はドットが重なる色数を示した説明図である。
【図７】係数Ｋ1、Ｋ2、Ｋ3、及びＫ4の一例を示す説明図である。
【符号の説明】
【００４８】
１    ディジタル複写機
２１  プリンタ部
２２  用紙搬送部
２３  画像形成部
２４  転写部
２５  定着部
４１  制御部
５１  シリアルＩ／Ｆ部
５２  パラレルＩ／Ｆ部
５３  ＨＤＤ
２００  本体部
２０３  転写ローラ
２０４  中間転写体ローラ
２０５  感光体ドラム
２０６  露光装置
２０７Ｙ，２０７Ｍ，２０７Ｃ，２０７Ｋ  現像装置
２０８  圧ローラ
２０９  熱ローラ
２２０  誘導コイル部
２２１，２２２，２２３，２２４，２２５  誘導コイル
２３１，２３２，２３３，２３４，２３５  温度センサ
２４０  ＩＨ制御部
【図１】
2006154413.tif 000003
【図２】
2006154413.tif 000004
【図３】
2006154413.tif 000005
【図４】
2006154413.tif 000006
【図５】
2006154413.tif 000007
【図６】
2006154413.tif 000008
【図７】
2006154413.tif 000009